(57)【要約】【課題】本発明は、熱輸送による機械的振動の影響を最小限に抑えながら、能動的熱輸送により投影システムの温度安定性をより確実にするリソグラフィ装置を提供する。【解決手段】リソグラフィ投影装置は、基板の目標部分にパターン化されたビームを投影する投影システムを配備する。投影システムには、１つ以上の光学動作ミラーと、ミラーおよび／またはミラーの支持構造への、あるいはミラーおよび／またはミラーの支持構造からの熱放射を遮断する、熱シールドとが含まれる。熱シールドは強制的に冷却されるが、ミラーと熱シールドは支持フレームに別々に支持されており、強制冷却によるミラーの振動を減じる。熱シールドは好ましくは、ミラーへの、あるいはミラーからの熱放射を遮断する、個々のミラー各自の熱シールドおよび／または支持構造への、あるいは該熱シールドおよび／または支持構造からの熱放射を遮断する熱シールドを含む。【選択図】図２
2004343116.tif 000002
【特許請求の範囲】
【請求項１】
−  放射線の投影ビームを供給する放射線システムと、
−  所望するパターンに従って投影ビームをパターン化するパターニング手段を支持する支持装置と、
−  基板を保持する基板テーブルと、
−  光学活性ミラー、少なくともミラーを支持する支持構造、および、支持構造および／またはミラーの表面への、あるいは支持構造および／またはミラーの表面からの熱放射を遮断するように配置された少なくとも１つの熱放射シールドとによって構成されている、パターン化されたビームを基板の目標部分に投影する投影システムと、
−  少なくとも１つの熱シールドへの、あるいは少なくとも１つの熱シールドからの熱伝達を行う、少なくとも１つの熱シールドと熱的接触を行った熱伝達回路と、
−  支持構造および少なくとも１つの放射熱シールドをそれぞれ支持フレームに支持するために、それぞれ別々の支持要素を有した支持フレームとから成るリソグラフィ投影装置において、ミラーの支持要素と、少なくとも１つの熱シールドは、支持フレームによる支持を除き、互いに機械的に連結を行っていないことを特徴とするリソグラフィ投影装置。
【請求項２】
少なくとも１つの熱シールドは、ミラーと反対方向を向いた支持構造の外表面に近接したアウターシールドから成ることを特徴とする請求項１に記載のリソグラフィ投影装置。
【請求項３】
アウターシールドは、上記の外表面と反対方向を向いた側よりも、支持構造の外表面に面した側でより高い熱放射の吸収係数を有することを特徴とする請求項２に記載のリソグラフィ投影装置。
【請求項４】
ミラーは軸沿いに互に対向する辺を有し、また、支持構造は該対向する側のどちらかでミラーに面していることを特徴とする請求項２または３に記載のリソグラフィ投影装置。
【請求項５】
ミラーは、投影ビームが反射される前面と、前面の反対側の背面を有し、ミラー背面に近接する少なくとも１つのミラーシールドから成る少なくとも１つの熱シールドは、投影ビームが投射する前面の少なくとも一部分を覆わないでおくことを特徴とする請求項１〜４のいずれか１項に記載のリソグラフィ投影装置。
【請求項６】
少なくとも１つのミラーシールドは、支持構造への取り付けポイント、センサおよび／あるいはアクチュエータの任意接合部分、および投影ビームが入射する前面の一部分を除いて、ミラーをほぼ取り囲んでいることを特徴とする請求項５に記載のリソグラフィ投影装置。
【請求項７】
少なくとも１つのミラーシールドは、ミラーの１つあるいは複数の面と反対を向く側よりも、該ミラーの１つあるいは複数の面を向く側でより高い熱放射の吸収係数を有することを特徴とする請求項５または６に記載のリソグラフィ投影装置。
【請求項８】
少なくとも１つの熱シールドは、ミラーに面した支持構造の内表面に近接したインナーシールドを有することを特徴とする前記請求項のいずれか１項に記載のリソグラフィ投影装置。
【請求項９】
インナーシールドは、上記の内表面と反対方向を向く側よりも、該内表面を向く側でより高い熱放射の吸収係数を有することを特徴とする請求項８に記載のリソグラフィ投影装置。
【請求項１０】
少なくとも１つの熱シールド支持構造および／もしくはミラーに連結した少なくとも１つの温度センサを有する熱伝達調整ループと、熱伝達回路に連結して、熱伝達回路により輸送された熱の量を調整する調整出力とから成り、それによって、少なくとも１つの熱シールドと、支持構造および／またはミラーにおいて設定温度を達成することを特徴とする前記請求項のいずれか１項に記載のリソグラフィ投影装置。
【請求項１１】
−  放射線感光材料の層により少なくとも部分的に覆われた基板を提供するステップと、
−  放射線システムを用いて放射線の投影ビームを供給するステップと、
−  パターニング手段を用いて投影ビームのその断面にパターンを与えるステップと、
−  光学活性ミラーにより、放射線感光材料の層の目標部分に放射線のパターン化されたビームを投影するステップと、
−  ミラーおよびその支持構造は全体として熱シールドとは別に支持されており、少なくとも１つの熱シールドにより、光学動作ミラーおよび／または光学動作ミラーの支持構造への、あるいは光学動作ミラーおよび／または光学動作ミラーの支持構造からの熱放射をシールドするステップと、
−  少なくとも１つの熱シールドに機械的に取り付けられたパイプを通して少なくとも１つの熱シールドに熱伝達流体を供給するステップとから成るデバイス製造方法。
【請求項１２】
上記の方法は、ミラーと反対方向を向く支持構造の外表面から放射される熱を、該外表面に近接し、かつ、少なくとも１つの熱シールドから成るアウターシールドにより吸収する段階を含むことを特徴とする請求項１１に記載のデバイス製造方法。
【請求項１３】
上記の方法は、ミラー前面は覆わずに、ミラーの背面に近接した、少なくとも１つの熱シールドから成る少なくとも１つのミラーシールドにより、投影ビームが反射される前面と反対方向を向く１つのあるいは複数のミラー背面から放射される熱を吸収する段階を含むことを特徴とする請求項１１または１２に記載のデバイス製造方法。
【請求項１２】
上記の方法は、ミラーと反対方向を向く支持構造の外表面に向かって放射される熱を、該外表面に近接し、かつ、少なくとも１つの熱シールドから成るアウターシールドにて吸収する段階を含むことを特徴とする請求項１１に記載のデバイス製造方法。
【請求項１４】
上記の方法は、少なくとも１つの熱シールドから成る、支持構造の内表面に近接したインナーシールドにより、ミラーに面した支持構造の内表面から放射される熱を吸収することから成ることを特徴とする請求項１１、１２、または１３に記載のデバイス製造方法。
【請求項１５】
−  放射線の投影ビームを供給する放射線システムと、
−  所望するパターンに従って投影ビームをパターン化するパターニング手段を支持する支持構造と、
−  基板を保持する基板テーブルと、
−  光学動作ミラー、少なくともミラーを支持する支持構造、および、支持構造および／またはミラーの外表面への、あるいは支持構造および／またはミラーの外表面からの熱放射を遮断するように配置された、ミラーと反対方向を向く支持構造の外表面に近接したアウターシールドとによって構成されている、パターン化されたビームを基板の目標部分に投影する投影システムとから成ることを特徴とするリソグラフィ投影装置。
【発明の詳細な説明】
【技術分野】
【０００１】
本発明は、
−  放射線の投影ビームを供給する放射線システムと、
−  所望するパターンに従って投影ビームをパターン化するパターニング手段を支持する支持装置と、
−  基板を保持する基板テーブルと、
−  パターン化されたビームを基板の目標部分に投影する投影システムとから成るリソグラフィ投影装置に関する。
【背景技術】
【０００２】
本明細書において使用する「パターニング手段」なる用語は、入射する放射線ビームに、基板の目標部分に作り出されるべきパターンと一致するパターン化断面を与えるために使用し得る手段に当たるものとして広義に解釈されるべきである。また、「ライトバルブ」なる用語もこうした状況において使用される。一般的に、上記のパターンは、集積回路や他のデバイス（以下を参照）であるような、デバイスにおいて目標部分に作り出される特別な機能層に相当する。そのようなパターニング手段には以下が含まれる。すなわち、
−  マスク。マスクの概念はリソグラフィにおいて周知のものであり、これには、様々なハイブリッドマスクタイプのみならず、バイナリマスク、レベンソンマスク、減衰位相シフトマスクといったようなマスクタイプも含まれる。放射線ビームにこのようなマスクを配置することにより、マスクに照射する放射線の、マスクパターンに従う選択的透過（透過性マスクの場合）や選択的反射（反射性マスクの場合）を可能にする。マスクの場合、その支持構造は一般的に、入射する放射線ビームの所望する位置にマスクを保持しておくことが可能であり、かつ、必要な場合、ビームに対して運動させることの可能なマスクテーブルである。
−  プログラマブルミラーアレイ。このようなデバイスの一例として、粘弾性制御層および反射面を有するマトリクスアドレス可能面があげられる。こうした装置の基本的原理は、（例えば）反射面のアドレスされた領域は入射光を回折光として反射するが、アドレスされていない領域は入射光を非回折光として反射するといったことである。適切なフィルタを使用することにより、回折光のみを残して上記非回折光を反射ビームからフィルタすることが可能である。この方法において、ビームはマトリクスアドレス可能面のアドレスパターンに従ってパターン形成される。プログラマブルミラーアレイのまた別の実施形態では小さな複数のミラーのマトリクス配列を用いる。そのミラーの各々は、適した局部電界を適用することによって、もしくは圧電作動手段を用いることによって、軸を中心に個々に傾けられている。もう一度言うと、ミラーはマトリクスアドレス可能であり、それによりアドレスされたミラーはアドレスされていないミラーとは異なる方向に入射の放射線ビームを反射する。このようにして、反射されたビームはマトリクスアドレス可能ミラーのアドレスパターンに従いパターン形成される。必要とされるマトリクスアドレッシングは適切な電子手段を用いて実行される。前述した両ケースとも、パターニング手段は１つ以上のプログラマブルミラーアレイから構成可能である。ミラーアレイに関する詳細は、例えば、米国特許第ＵＳ５，２９６，８９１号および同第ＵＳ５，５２３，１９３号、並びに、ＰＣＴ特許種出願第ＷＯ９８／３８５９７および同ＷＯ９８／３３０９６を参照されたい。これらの内容を本明細書に引用したものとする。プログラマブルミラーアレイの場合、上記支持構造は、例えばフレームもしくはテーブルとして具体化され、これは必要に応じて、固定式となるか、もしくは可動式となる。
−  プログラマブルＬＣＤアレイ。このような構成の例の詳細は米国特許第ＵＳ５，２２９，８７２号を参照されたい。上記同様、この場合における支持構造も、例えばフレームもしくはテーブルとして具体化され、これも必要に応じて、固定式となるか、もしくは可動式となる。簡潔化の目的で、本文の残りを、特定の箇所において、マスクおよびマスクテーブルを必要とする例に限定して導くものとする。しかし、こうした例において論じられる一般的な原理は、既に述べたようなパターニング手段のより広範な状況において理解されるべきである。
【０００３】
リソグラフィ投影装置は例えば、集積回路（ＩＣ）の製造において使用可能である。この場合、パターニング手段はＩＣの個々の層に対応する回路パターンを生成する。そして、放射線感光材料（レジスト）の層が塗布された基板（シリコンウェハ）上の目標部分（例えば１つあるいはそれ以上のダイから成る）にこのパターンを像形成することが出来る。一般的に、シングルウェハは、投影システムを介して１つずつ順次照射される近接目標部分の全体ネットワークを含んでいる。マスクテーブル上のマスクによるパターニングを用いる現在の装置は、異なる２つのタイプのマシンに区分される。リソグラフィ投影装置の一タイプでは、全体マスクパターンを目標部分に１回の作動にて露光することによって各目標部分が照射される。こうした装置は一般的にウェハステッパあるいはステップアンドリピート装置と称されている。ステップアンドスキャン装置と称される別の装置では、所定の基準方向（「スキャニング」方向）にマスクパターンを投影ビーム下で徐々にスキャニングし、これと同時に基板テーブルをこの方向と平行に、あるいは反平行にスキャニングすることにより、各目標部分が照射される。一般的に、投影装置は倍率係数Ｍ（一般的に、＜１）を有することから、基板テーブルが走査される速度Ｖは、マスクテーブルが走査される速度の係数Ｍ倍となる。ここに記載を行ったリソグラフィデバイスの詳細は、例えば、米国特許第ＵＳ６，０４６，７９２号を参照されたい。
【０００４】
リソグラフィ投影装置を使用する製造工程において、パターン（例えばマスクにおける）は少なくとも部分的に放射線感光材（レジスト）の層で覆われた基板上に像形成される。この像形成ステップに先立ち、基板は、プライミング、レジスト塗布、およびソフトベークといったような各種の工程を経る。露光後、基板は、ポストベーク（ＰＥＢ）、現像、ハードベーク、および像形成フューチャの測定／検査といったような他の工程を通る。この一連の工程は、例えばＩＣといったような素子の個々の層をパターン化するための基準として使用される。このようなパターン形成された層は、それから、全て個々の層を仕上げる目的である、エッチング、イオン注入（ドーピング）、メタライゼーション、酸化、化学機械的研磨等といった種々のプロセスを経る。数枚の層が必要とされる場合には、全工程、もしくはその変形をそれぞれの新しい層に繰り返す必要がある。最終的に、素子のアレイが基板（ウェハ）上に形成される。次に、これらの素子はダイシングやソーイングといったような技法で相互より分離される。それから個々の素子は、キャリアに装着されたり、ピンに接続されたりし得る。こうした工程に関する詳細は、１９９７年にマグローヒル出版会社より刊行された、Ｐｅｔｅｒ  ｖａｎ  Ｚａｎｔ著、「マイクロチップ製造：半導体処理に対する実用ガイド」という名称の書籍（“Ｍｉｃｒｏｃｈｉｐ  Ｆａｂｒｉｃａｔｉｏｎ：Ａ  Ｐｒａｔｉｃａｌ  Ｇｕｉｄｅ  ｔｏ  Ｓｅｍｉｃｏｎｄｕｃｔｏｒ  Ｐｒｏｃｅｓｓｉｎｇ”）の第３版、ＩＳＢＮ０−０７−０６７２５０−４より入手可能である。この内容をここに引用したものとする。
【０００５】
簡潔化の目的で、これより投影システムを「レンズ」と称するものとする。しかし、この用語は、例えば屈折光学システム、反射光学システム、および反射屈折光学システムを含むさまざまなタイプの投影システムを網羅するものとして広義に解釈されるべきである。放射線システムはまた、放射線の投影ビームの誘導、成形、あるいは制御を行う、こうした設計タイプのいずれかに応じて稼動する構成要素も備えることが出来る。こうした構成要素もまた以降において集約的に、あるいは単独的に「レンズ」と称する。さらに、リソグラフィ装置は２つあるいはそれ以上の基板テーブル（および、あるいは２つもしくはそれ以上のマスクテーブル）を有するタイプのものである。このような「多段」デバイスにおいては、追加のテーブルが並列して使用される。もしくは、１つ以上の他のテーブルが露光に使用されている間に予備工程が１つ以上のテーブルにて実行される。例えば、米国特許第ＵＳ５，９６９，４４１号および国際特許出願第ＷＯ９８／４０７９１号に開示のデュアルステージリソグラフィ装置がある。
【０００６】
欧州特許出願番号第１１７８３５７号により、構成要素の大部分が真空チャンバ内に配置されたリソグラフィ装置が知られている。投影ビームは、レンズではなく、多数の光学活性ミラーを介してマスクを基板上に結像する。こうした構成は、例えば、ＥＵＶ（極紫外線）投影ビームが使用される場合に必要とされる。なぜならば、空気圧においてガス内のＥＵＶ投影ビームは投影目的には実用にならず、かつ、ＥＵＶ放射線に使用可能な屈折光学素子がないという理由による。これは他のタイプのビームでも同じ状況である。
【０００７】
欧州特許出願番号第１１７８３５７号において、真空下での稼動は、温度安定性に問題を生じる場合があることを指摘している。なぜならば、真空チャンバの壁からの、もしくは真空ポンプからの熱放射が熱膨張または収縮をまねくおそれがあるからである。支持構造、基板テーブル、投影システム、あるいは基準フレームといったような温度クリティカルな構成要素が影響をうけると、それにより結像誤差をまねく。ＥＰ１１７８３５７では、効果的な熱シールドである「温度調整部材」を使用し、これを熱源と温度クリティカルな構成要素間に配置することでこの問題に対処している。等温に保たれなくてはならない温度クリティカルな構成要素の少なくとも部分を熱シールドで囲む。一実施例において、熱シールドは、温度クリティカルな構成要素に面した側で高い吸収を有し、熱シールドからの放射線の入射により、温度クリティカルな構成要素の温度を調整する。ＥＰ１１７８３５７では、「調整」により、単にシールドからの放射線が温度にデリケートな構成要素の温度を安定させるという意味にとれる。能動的温度制御ループは示されておらない。
【０００８】
当然ながら、このタイプの解決法は、熱シールドこれ自体が任意温度まで加熱されない場合にのみ効果的である。ＥＰ１１７８３５７では、強い熱源が存在するなかでいかにこれが達成され得るかを述べていない。さらに、投影システムにおける投影ビームからの放射線の吸収により、投影システムそれ自体が温度クリティカルな構成要素になると同時に熱源にもなるため、全ての熱源と温度クリティカルな構成要素間に熱シールドを配置することは不可能である。
【０００９】
原理的に、例えば、流体冷却、熱パイプを使用する冷却、あるいは熱輸送を行う他の方法といったような強制熱伝達が、温度クリティカルな構成要素の温度調整に使用され得る。こうした強制熱伝達が、温度を安定維持させるために制御ループにより調整可能であることもまた望ましい。しかし、このタイプの熱伝達が投影システムに適用されると、例えば、強制冷却、あるいは必要な機械的連結により機械的振動をまねき、結像誤差を生じる場合がある。より高い冷却能力が必要とされる場合にこうした問題は重大となる。
【発明の開示】
【発明が解決しようとする課題】
【００１０】
本発明は、熱伝達による機械的振動の影響を最小限に抑えながら、強制熱伝達によりリソグラフィ装置の投影システムの温度安定性をより確実にすることを目的とする。
【００１１】
本発明は、制御ループの使用を可能にして、投影システムに影響を与える温度を調整することをまた別の目標とする。
【００１２】
本発明は、リソグラフィ装置の投影システムにおいて、投影ビームの吸収による熱問題を減じることをまた別の目標とする。
【課題を解決するための手段】
【００１３】
本発明は、請求項１において説明したようなリソグラフィ装置を提供する。投影システムのミラーおよび／またはこれらミラーの支持構造が熱シールドによりシールドされる。この熱シールドの熱調整に、強制熱伝達回路を使用する。好ましくは、熱伝達回路は、熱シールドに直接、もしくは間接的に連結を行った熱伝播流体を輸送するパイプから成る。（一般的に、熱伝達は熱シールドの純冷却効果を有するが、代替的に、熱伝達は温度が上昇しすぎた場合に低減される純加熱効果を有する。）熱シールドは、ミラーおよびミラーの支持構造とは別々に支持される。その結果、ミラーに及ぼす強制冷却による振動の影響はわずかでしかない。好ましくは、熱シールドと、ミラーおよびミラーの支持構造の共通の支持は共通の計測フレームとなるか、もしくは、計測フレームを介してミラーを支持する他のフレーム上にある。一実施例において、熱シールドと支持構造は計測フレームにより支持され、熱シールドと支持構造あるいはミラー間にその他の機械的連結はなされていない。
【００１４】
熱シールドは、ミラーおよび／または支持構造への、あるいはミラーおよび／または支持構造からの熱放射を遮断する。好ましくは、熱シールドはシールドされる支持構造への、あるいはシールドされる支持構造からの熱放射の大部分を（少なくとも５０％、望ましくは８０％を上回り）遮断し、かつ、保護されている支持構造あるいはミラーへの／からのものでない遮断される熱放射は、わずかなものであるように該熱シールドは形成され、配置される。好ましくは、このようにしてそれぞれの熱シールドの各々は出来るかぎり他の全ての構成要素から、それぞれのミラーあるいは支持構造の部分のみをシールドする。
【００１５】
よって、振動の量を減じながら、各熱シールドは、熱伝達を最少にするべく必要とされ、熱シールドによるミラーおよび／または支持構造の選択的温度調整は単純化される。これは例えば、熱シールドが該当ミラーあるいは構造の一部の面にきっちり面している場合に達成される。よって、熱シールドと表面間の距離は熱シールドの空間的拡がりよりも小さい。
【００１６】
一実施例において、熱シールドはミラーと反対方向を向いたミラー支持構造の外表面に設けられる。こうした外表面は他の構成要素から放射される熱の影響を最も受けやすい。好ましくは、支持構造は、投影ビームを通過させ、かつ／または支持構造内において高い真空度を達成可能にする孔を除いて、ミラーを囲むようにする。具体的には、少なくとも、ミラーの支持構造は少なくとも１つの軸に沿って両サイドにてミラーを囲むように配設されることが望ましい。熱シールドは両サイドの外表面に設けられる。
【００１７】
好ましくは、支持構造から見て外方に向いた熱シールドの表面の吸収係数は、支持構造に面した熱シールドの吸収係数よりも低い（例えば、支持構造に面した表面で０．８を上回り、支持構造から反対方向を向いた表面で０．２未満である）。このように、熱シールドは、支持構造の温度を判断する役割を有し、支持構造の外側から吸収される熱を補正するために、最小限の冷却を必要とする。あるいは、例えば、表面に十分なアクティブ冷却能力がある箇所で高吸収、冷却能力があまりない箇所で低吸収といったように、高い吸収係数（＞０．８）または低い吸収係数（＜０．２）が少なくとも局所的に両表面に用いられるようにしても良い。
【００１８】
別の実施例において、熱シールドは、投影システムの光学動作ミラーそれぞれ独自のミラー熱シールドを含む。ミラーのミラー熱シールドは、投影ビームが反射されるミラーの前表面の一部分は覆わないが、これ以外では、好ましくはミラーの出来るだけ多くの部分を覆い、少なくとも前表面の反対側の背面を覆う。少なくともミラー熱シールドは、シールドが遮断する熱放射の大部分が、シールドされるミラーへの、あるいはシールドされるミラーからのものであるように配置され、かつ、好ましくは、投影ビームが反射される前表面の部分への／からの熱放射を除いて、熱放射の大部分がミラーへの、あるいはミラーからのものであるように配置される。
【００１９】
ミラー熱シールドは、投影ビーム反射損によるヒーティングによって生じる熱放射を吸収する。個々のミラーにミラーシールドを使用することにより、必要とされる冷却量は、ミラー支持構造への影響同様、最小限となる。好ましくは、ミラーシールドは少なくともミラーの背面と向き合うが、より好ましくは、ミラーシールドは、ミラーの前面と背面間のミラーの側面にも向き合うように、さらに好ましくは、投影ビームが入射しない前面の一部にも向き合うように形成される。
【００２０】
好ましくは、ミラーに面したミラー熱シールドの表面は、ミラーから反対方向を向いた表面よりも吸収係数は高い。よって、ミラーシールドのヒーティングは減じられるが、これは、スペースの限界によってミラーにわずかな熱伝達容量しかない場合に重要である。あるいは、ミラーとは反対方向を向いたミラーシールドの表面に高吸収係数（＞０．８）を用い、他のミラーあるいは支持構造に向かう熱放射の反射を防ぐ。
【００２１】
別の実施例において、熱シールドは、１つ以上のミラーに面する、支持構造の内表面を覆ったインナー熱シールドを含む。これは好ましくは、ミラーに面したインナー熱シールドの表面の吸収係数は、ミラーと反対方向で、支持構造に面した表面よりも低い。こうしてミラーのヒーティングは低減される。あるいは、高吸収係数（＞０．８）がミラーに面したミラーシールド表面に用いられ、他のミラーや支持構造に向かう熱放射の反射を防ぐ。また、低吸収係数が支持構造に対し少なくとも局所的に用いられる。
【００２２】
好ましくは、熱伝達回路により輸送される熱の量は、熱シールドの温度といったような温度をほぼ一定に保つ働きを有する制御ループにより調整される。ミラー熱シールドを個々のミラーに設けると、ミラー温度は外部からの影響をほとんど受けず、あるいは全く受けずに、厳密に制御できる。同様に、ミラーの支持構造の温度は、インナーシールドおよび／あるいはアウターシールドを配設することで厳密に制御できる。その結果、投影レンズの光学特性は安定維持される。
【００２３】
本発明のさらなる態様に基づいて、請求項１１に従ったデバイス製造方法が提供される。該方法において、１つ以上の光学活性ミラーおよび／あるいは１つ以上の光学活性ミラーの支持構造への、あるいは１つ以上の光学動作ミラーおよび／あるいは１つ以上の光学動作ミラーの支持構造からの熱放射が１つ以上の熱シールドによってシールドされる。該１つ以上の熱シールドは全体として１つ以上のミラーおよびその支持構造とは別々に支持されている。熱シールドに機械的に取り付けされたパイプを通し、熱輸送流体が１つ以上の熱シールドに供給される。
【００２４】
本発明による装置の使用法に関して、本文ではＩＣの製造において詳細なる参照説明を行うものであるが、こうした装置が他の多くの用途においても使用可能であることは明確に理解されるべきである。例えば、本発明による装置は、集積光学装置、磁気ドメインメモリ用ガイダンスおよび検出パターン、液晶ディスプレイパネル、薄膜磁気ヘッド等の製造に使用され得る。こうした代替的な用途においては、本文にて使用した「レチクル」、「ウェハ」、「ダイ」といった用語は、それぞれ「マスク」、「基板」、「目標部分」といった、より一般的な用語に置き換えて使用され得ることは当該技術分野の専門家にとって明らかである。
【００２５】
本明細書において使用した「放射線」および「ビーム」という用語は、イオンビームあるいは電子ビームといったような粒子ビームのみならず、紫外線（ＵＶ）（例えば、３６５ｎｍ、２４８ｎｍ、１９３ｎｍ、１５７ｎｍ、あるいは１２６ｎｍの波長を有する）、および極紫外線（ＥＵＶ）（例えば５ｎｍ−２０ｎｍの範囲の波長を有する）を含む、あらゆるタイプの電磁放射線を網羅するものである。
【００２６】
本発明の実施例についての詳細説明を、添付の図面を参照に、例示の方法においてのみ行うものとする。全図を通して、同様の部品は、同様の参照番号を付してある。
【発明を実施するための最良の形態】
【００２７】
図１は、本発明の独自の実施形態に基づくリソグラフィ投影装置１を示したものである。この装置は、
−  この具体的な実施例において放射線システムが放射線源ＬＡも備えた、放射線の投影ビームＰＢ（例えばＥＵＶ放射線）を供給する放射線システムＥｘ、ＩＬと、
−  マスクＭＡ（例えばレクチル）を保持するマスクホルダーを備え、かつ、品目ＰＬに対して正確にマスクの位置決めを行う第一位置決め手段ＰＭに連結を行った第一オブジェクト・テーブル（マスクテーブル）ＭＴと、
−  基板Ｗ（例えば、レジスト塗布シリコンウェハ）を保持する基板ホルダを備え、かつ、品目ＰＬに対して正確に基板の位置決めを行う第二位置決め手段ＰＷに連結を行った第二オブジェクト・テーブル（基板テーブル）ＷＴと、
−  マスクＭＡの照射部分を、基板Ｗの目標部分Ｃ（例えば、１つあるいはそれ以上のダイから成る）に像形成する投影システム（「レンズ」）ＰＬ（一式のミラー）とにより構成されている。
【００２８】
ここで示しているように、この装置は反射タイプ（すなわち反射マスクを有する）である。しかし、一般的には、例えば透過マスクを有する透過タイプのものも可能である。あるいは、本装置は、上記に関連するタイプであるプログラマブルミラーアレイといったような、他の種類のパターニング手段も使用可能である。
【００２９】
ソースＬＡ（例えばレーザ生成プラズマソースあるいは放電ソース）は放射線のビームを作り出す。このビームは、直接的に、あるいは、例えばビームエキスパンダーといったようなコンディショニング手段を横断した後に、照明システム（照明装置）ＩＬに供給される。照明装置ＩＬは、ビームにおける強度分布の外部かつ／あるいは内部放射範囲（一般的にそれぞれ、σ−ｏｕｔｅｒおよびσ−ｉｎｎｅｒに相当する）を設定する構成要素から成る。さらに、照明装置ＩＬは一般的に積分器およびコンデンサといったような、他のさまざまな構成要素を備える。このようにして、マスクＭＡに照射するビームＰＢは、その断面に亘り所望する均一性と強度分布とを有する。
【００３０】
図１に関して、ソースＬＡはリソグラフィ装置のハウジング内にある（これは例えばソースが水銀ランプである場合に多い）が、しかし、リソグラフィ投影装置から離して配置することも可能であることを注記する。この場合、ソースＬＡが作り出す放射線ビームは（適した誘導ミラーにより）装置内に導かれる。本発明および請求項はこれら両方のシナリオを網羅するものである。
【００３１】
続いてビームＰＢはマスクテーブルＭＴ上に保持されているマスクＭＡに入射する。ビームＰＢはマスクＭＡにより選択的に反射され、基板Ｗの目標部分Ｃ上にビームＰＢの焦点を合わせるレンズＰＬを通過する。第二位置決め手段ＰＷ（および干渉計測手段ＩＦ）により、基板テーブルＷＴは、例えばビームＰＢの経路における異なる目標部分Ｃに位置を合わせるために正確に運動可能である。同様に、第一位置決め手段ＰＭは、例えばマスクライブラリからマスクＭＡを機械的に検索した後に、あるいは走査運動の間に、ビームＰＢの経路に対してマスクＭＡを正確に位置決めするように使用可能である。一般的に、オブジェクト・テーブルＭＴおよびオブジェクト・テーブルＷＴの運動はロングストロークモジュール（粗動位置決め）およびショートストロークモジュール（微動位置決め）にて行われる。これについては図１に明示を行っていない。しかし、ウェハステッパの場合（ステップアンドスキャン装置とは対照的に）、マスクテーブルＭＴはショートストロークアクチュエータに連結されるだけであるか、あるいは固定される。マスクＭＡおよび基板Ｗは、アライメントマークＭ１、Ｍ２および基板アライメントマークＰ１、Ｐ２を用いて位置合わせされる。
【００３２】
ここに表した装置は２つの異なるモードにて使用可能である。
１．  ステップモードにおいて、マスクテーブルＭＴは基本的に静止状態に保たれている。そして、マスクの像全体が１回の作動（すなわち１回の「フラッシュ」）で目標部分Ｃに投影される。次に基板テーブルＷＴがｘ方向および／あるいはｙ方向にシフトされ、異なる目標部分ＣがビームＰＢにより照射され得る。
２．  スキャンモードにおいて、基本的に同一シナリオが適用されるが、但し、ここでは、所定の目標部分Ｃは１回の「フラッシュ」では露光されない。代わって、マスクテーブルＭＴが、速度ｖにて所定方向（いわゆる「走査方向」、例えばｙ方向）に運動可能であり、それによってビームＰＢがマスクの像を走査する。これと同時に、基板テーブルＷＴが速度Ｖ＝Ｍｖで、同一方向あるいは反対方向に運動する。ここで、ＭはレンズＰＬの倍率（一般的にＭ＝１／４あるいは１／５）である。このように、解像度を妥協することなく、比較的大きな目標部分Ｃを露光することが可能となる。
【００３３】
例示のリソグラフィ投影装置は真空チャンバＶＣを備え、この中で、マスクＭＡにビームＰＢが入射し、そして次に基板Ｗの目標部分に入射する。いわゆる「計測フレーム」ＭＦは装置の主構造と機械的に隔離した、隔離基準フレームを提供する。計測フレームは、低弾性係数を有する、弾性のある支持を可能にするエアマウント（図示せず）により支持された、例えば重量テーブルとして具体化される。基準フレームＭＦは干渉計ＩＦや他の位置センサといったようなデリケートな構成要素を支持し、それらに振動が及ばないようにする。
【００３４】
投影レンズＰＬは、弾性要素１２および支持１１により計測フレームＭＦ上に支持されている。投影レンズＰＬは、計測フレームＭＦ上にそれ自身の支持１４を有するシールド構造１０にて部分的に囲まれており、熱伝達流体の供給パイプ１６と、熱伝達液体のアブダクションパイプ１８とに連結されている。
【００３５】
図２は、投影レンズＰＬおよびそのシールド構造の実施例をより詳細に示したものである。投影レンズＰＬは、複数の光学活性ミラー２０（１つのミラーのみに参照符号２０を付す）および支持構造２６を含む。ミラー２０はマスクＭＡを基板Ｗ上に結像するように配列されている。ミラーおよび支持構造は望ましくは、Ｚｅｒｏｄｕｒ（登録商標）もしくはＵＬＥ（登録商標）（超低膨張）ガラスといったような低膨張係数を有するガラス製である。アンバーもまた支持構造２６に使用され得る。
【００３６】
支持構造２６は、ミラー２０を取り付けるレッグを備えるとともに、ミラー２０が配置され、かつ、実質的には投影ビームが通過する開口部分を除いて、ミラー２０をほとんど囲んだボックスを備えていることが分かる。代替的にはケージの使用が可能である。ミラーを配したこのボックスあるいはケージ全体は計測フレームＭＦにより支持される。
【００３７】
シールド構造にはミラーシールド２２（１つのみに参照符号を付す）、アウターシールド２８、およびインナーシールド２９を含む。図１において理解されるように、ミラー２０および支持構造２６とミラーシールド２２、アウターシールド２８およびインナーシールド１９とはこれら各々は計測フレームＭＦ上にそれ自身の支持を有する。ミラーシールド２２、アウターシールド２８、およびインナーシールド１９は計測フレームＭＦ上に結合した支持を有するか、もしくは別々の支持が使用される。または、特にシールド用の支持は、真空チャンバＶＣに連結されるか、もしくは計測フレーム以外のベースフレーム（図示せず）に連結される。支持構造１６は弾性要素１２により支持され、計測フレームＭＦの振動が支持構造に及ばないようにする。簡潔化のため、１つのみの弾性要素１２を示しているが、支持構造１６は同時に複数のそうした要素により支持されることが理解されよう。同様に、シールド２８、２９、２２は計測フレーム上の一点以上のポイントにて支持され、これらの全部は、弾性要素エレメント１２、あるいは支持構造２６を支持する他の弾性要素によっては支持されていない。
【００３８】
図２ａは投影システムの詳細を示しており、ミラーシールド２２とは隔離した、支持構造２６とミラー２０との機械的連結２００を図示したものである。好ましくは、ミラーシールド２２はインナーシールド２９への支持連結２０２を有しているか、あるいはミラーシールド２２は別々に支持される。
【００３９】
ミラー２０各々にそれぞれのミラーシールド２２が配設される。各ミラーシールド２２は、投影ビームＰＢを反射するミラー２０の面と、支持構造２６にミラー２０を支持する連結部分を除いて、ミラー２０のほぼ全体をしっかり囲む。ミラーシールド２２の正確な幾何学的配置は重要ではないが、しかし、この配置は好ましくは、ミラーシールド２２により遮断される熱放射の大部分がミラー２０への、あるいはミラー２０からの熱放射であって、他の構造間の熱放射ではないように形成される。好ましくは、ミラーシールドは、投影ビームＰＢを反射するミラー２０の一部分からの熱放射を除いて、ミラー２０への、またはミラー２０からの熱放射の大部分（例えば＞５０％）を遮断するように調整される。
【００４０】
図４は、ミラーシールド２２の様々な構成を示しており、ミラー２０の背面４０のみを覆ったもの、ミラー２０の形状に沿ってサイド４２を覆ったもの、そして、投影ビームＰＢにより照射されない前面４４の部分をも覆ったものを図示している。後者の構成は、他の構成によるヒーティングや、他の構造のヒーティングを出来るかぎり防止するのに望ましい。
【００４１】
好ましくは、熱輸送パイプ２４がミラーシールド２２に取り付けられる。アウターシールド２８はミラー２０と反対方向を向いた支持構造２６の面に近接して設けられており、インナーシールド２９はミラー２０に面した支持構造の面に近接して設けられている。好ましくは、熱輸送パイプ２７がアウターシールド２８とインナーシールド２９の両方に配設される。熱輸送パイプ２４、２７は直列に配列されるか、もしくは並列に配列される。
【００４２】
図５は別の実施例を示したものであり、熱シールド５２はミラー５０の面への平均垂線方向に沿って伸長する。このようにして、ミラー５０の反射面から反射された放射線のその少なくともいくらかは冷却された熱シールド５２によって遮断される。好ましくは、熱シールドは投影ビームＰＢを遮ることなく出来るだけ長く（一般的には少なくともミラー５０の直径の１／２）延在する。一般に、シールド５２は垂線で囲む円柱形でありミラーを通る平面で円柱の断面のみを示している。ミラーが図のように示されているが、代わりに平行面シールドを使用することも可能である。
【００４３】
稼動時に投影ビームＰＢはマスクＭＡに投影される。マスクＭＡはミラー２０の光学動作により基板Ｗ上に結像される。熱伝達流体は熱伝達パイプ２４、２７によって送り込まれる。例示の方法により、水が熱伝達流体として使用され得る。
【００４４】
ミラーシールド２２はミラー２０の温度の揺れを制限する役割を有する。必然的に投影ビームＰＢがミラー２０より反射されると吸収がいくらかおきる。この吸収がミラー２０、マスクＭＡ、および基板Ｗ間の幾何学的関係に影響を及ぼすと、結像問題が生じる。サブミクロンの精度が要求される場合、非常に小さな障害がすでにダメージとなり得る。これは、例えばＥＩＶビームといったような短波長のビームＰＢで特に問題となる。なぜならば、こうしたビームは高い真空度を必要とし（吸収熱を減じるのを困難にする）、比較的高い吸収を伴うからである。
【００４５】
ミラーシールド２２はミラー２０から放射された熱を吸収する。過剰な熱は熱輸送パイプ２４を介し取り除かれる。こうして、ミラー２０のヒーティングによる影響が減じられ、ミラー２０の温度はミラーシールドにより、熱輸送流体により決定されるような熱平衡に近づけられる。ミラーシールド２２をミラー２０の周りにしっかりと配備することにより、最少のシールド材料にて最大の熱が吸収され、ミラー２０に到達する他のソースからの熱放射はわずかとなる。よって、ミラーシールド２２に対する熱輸送能力は小さくて十分である。ミラーシールド２２はミラー２０とは別々に計測フレームＭＦに支持されているため、熱輸送流体による機械的振動がミラーの位置に影響を与えることはそれほどない。加えて、ミラーシールド２２は他の構造からの放射熱によるミラー２０のヒーティングを防止する。
【００４６】
好ましくは、ミラーシールド２２の表面は、ミラー２０にきっちり面した内表面の熱放射吸収係数が、ミラー２０に直には面していない外表面の熱放射吸収係数よりも高くなるように処理される。アルミニウムを研磨することによって、例えば吸収係数を０．０５まで低くすることが可能であり、同様の効果はゴールド層のコーティングによっても達せられる。酸化アルミニウムといったようなセラミック層でのコーティングにより、吸収係数を０．８乃至０．９にすることが可能である。本発明は、吸収に影響を与えるこうした方法を制限するものではないことは明らかである。あらゆる既知の技術が使用され得る。内表面の吸収係数はおおよそ０．８、乃至は０．９をも超過するほど出来るだけ高い方が好ましく、これに対し、外表面の吸収係数はおおよそ０．２乃至は０．１をも下回るほど出来るだけ低いほうが好ましい。結果として、他の構造からのヒーティングを防止するために、ミラーシールド２２に最小限の熱伝播を必要とする。
【００４７】
支持構造２６のアウターシールド２８は、ヒーティングによる支持構造２６の幾何学的変形を防ぐ役割を果たす。アウターシールド２８は支持構造２６の低減温度のレベルに維持する。支持構造２６の温度は、熱伝達流体により決定されるようなアウターシールド２８との、熱平衡をほぼもたらすようにされる。よって、支持構造２６の変形による投影レンズの幾何学的変形が実質的に回避される。加えて、アウターシールド２８は外部熱源からの放射線による支持構造２６のヒーティングを防止する。
【００４８】
好ましくは、アウターシールド２８は、支持構造２６の外表面への、またはこの外表面からの熱放射の大部分を遮断するように成形、かつ配置され、それにより、遮られた放射線の少量にしかすぎない部分（例えば＜１０％）は支持構造２６への、あるいは支持構造２６からのものではないようにする。望ましいどのようなシールド幾何学的アレンジメントであってもこの目的に使用され得る。
【００４９】
好ましくは、ミラーシールド２８の表面は、支持構造２６に面した内表面の熱放射吸収係数が、支持構造２６に直には面していない外表面の熱放射吸収係数よりも高くなるように処理される。内表面の吸収係数はおおよそ０．８、乃至は０．９をも超過するほど出来るだけ高い方が好ましく、これに対し、外表面の吸収係数はおおよそ０．２乃至は０．１をも下回るほど出来るだけ低いほうが好ましい。結果として、他の構造からのヒーティングを防ぐために、アウターシールド２８に最小限の熱伝達を必要とする。
【００５０】
支持構造２６のインナーシールド２９は、ミラー２０の露出表面からの放射線と、支持構造２６の孔（高い真空度を可能にするため大きな孔が設けられなくてはならない）から「可視」の外部熱源からの放射線によるヒーティングとによって生じる支持構造２６の幾何学的変形を防ぐ役割を果たす。インナーシールド２９は支持構造２６の温度を減じたレベルに維持する。支持構造２６の温度はインナーシールド２９により、熱伝達流体により決定されるような熱平衡をほぼもたらすようにされる。好ましくは、インナーシールド２９表面は、支持構造２６にきっちりと面した内表面の熱放射吸収係数が、支持構造２６に直には面していない外表面の熱放射吸収係数よりも高くなるように処理される。内表面の吸収係数は、おおよそ０．８、乃至は０．９をも超過するほど出来るだけ高い方が好ましく、これに対し、外表面の吸収係数はおおよそ０．２乃至は０．１をも下回るほど出来るだけ低いほうが望ましい。結果的に、他の構造からのヒーティングを防止するために、インナーシールド２９に最小限の熱伝達を必要とする。
【００５１】
ミラーの位置調整のために、支持構造２６とミラー２０間にアクチュエータとセンサ（図示せず）を配設することが出来る。この場合、ミラーシールド２２はこうしたアクチュエータおよびセンサからの放射線からミラー２０を保護する役割を有する。インナーシールド２９は、支持構造２６と、これらアクチュエータ、センサ間に入り、アクチュエータおよびセンサによる熱放射から支持構造を保護するように配置されることが望ましい。
【００５２】
ミラーシールド２２、アウターシールド２８、およびインナーシールド２９の使用法を最適な結合効果を達成するように共に記載を行ったが、これらのシールドのいずれかを使用せずに、１つずつ、もしくは組み合わせてこうしたシールドを使用することも可能であることを理解されたい。例えば、ヒーティングの主原因が、支持構造２６の外表面に放射する外部熱源からのものである場合、アウターシールド２８のみで十分である。この場合、ミラーシールド２２は投影ビームＰＢによる熱問題が生じた際に追加的に使用される。また他の例として、ヒーティングの主原因が投影ビームＰＢである場合、ミラーシールド２２このままのみで十分であり、状況によってはインナーシールド２９が支持構造２６を保護するために追加される。
【００５３】
同様に、例えば、スペース制限によって少ない冷却効果を有するシールド２２、２８、２９上の箇所において吸収を少なくするか、もしくは、ミラー２０といったような熱源から、ミラー２０あるいはそのミラーシールド２２といったような温度にデリケートな構成要素への反射の経路にある箇所にて高い吸収をもたらすといったように、吸収係数を局所的に変えることが可能である。
【００５４】
「熱伝達」という用語を、流体およびパイプ２４、２７全体にわたり使用したが、アブダクションパイプ１８により過剰な熱を取り除くことにより、たいていの状況下でパイプ２４、２７は冷却パイプの役割を果たし、流体は冷却流体の役割を果たすことを理解されたい。しかし、投影ビームがないとき、本発明を逸脱することなく、流体が、ミラー２０および支持構造を通常よりも高い温度に維持するために使用され得る。この場合、熱は通常通りミラー２０に伝わるが、例えば投影ビームによって、より多くの熱がミラーに与えられると、この伝わる熱の量は減じられる。
【００５５】
図３は、ミラー２０および／または支持構造２６の温度を調整するために制御ループが使用される別の実施形態を示したものである。この実施例において、１つ以上のセンサ３０（例えば温度依存抵抗）が１つあるいは複数のミラーシールド２２に配備される。また、ヒータ３２が熱輸送流体の供給パイプに連結して設けられる。制御回路３４がセンサ３０およびヒータ３２間に連結され、ヒーティングの量を調整するようにアレンジされることにより、平均感知温度が設定温度に対して調整される。また、循環ポンプ３６が供給パイプに設けられる。図中示していないが、流体からの過剰な熱を取り除くために、ヒータ３２の上流に冷却要素が配備される。
【００５６】
原理的に、共通ヒータ３２が全ミラー２０および支持構造２６のための流体を加熱するために設けられる。この場合、いくつかのセンサが異なる熱シールドに設けられ、平均感知温度が調整される。しかし、実施例においては、各ヒータ３２が流体の流路の異なる平行部に配設されることにより、ミラー各々の、もしくはミラー群各々の温度を別々に調整する。この各々は、その該当するミラーもしくは複数のミラーの温度を感知するセンサに反応する。
【００５７】
しかし、本発明はこの方法における温度調整に限定されるものではないことを理解されたい。多くのケースではおそらく流体温度を一定に保つ以外では、温度調整がともに省かれるであろう。また、本発明から逸脱することなく、ミラー２０、あるいは支持構造２６にセンサ３０を設けるか、もしくはミラーシールド２２、支持構造２６および／またはミラー２０の両方にセンサを設けることも可能である。熱シールドにセンサを配設することにより、ミラー２０の機械的な障害を最小限に抑える。流体は加熱されるかわりに、調整される量により冷却され得る。冷却あるいは加熱の量を調整する代わりに、温度調整のために流体の流量が調整され得る。
【００５８】
本発明は、パイプを循環する流体（「流体」なる用語は、液体、気体、ガス、およびこれら混合の両方を網羅する）を使用する流体冷却を用いる実施例に関して詳細説明を行ったが、ヒート・パイプといったような、熱シールドへの／からの熱を伝えるアクティブ冷却の他の形態も含まれることを理解されたい。
【００５９】
さらに、冷却流体が往復する循環流路を示したが、本文に使用した「熱伝達回路」は流体の循環を必要とするものでないことを理解されたい。循環流体の代わりに、新鮮な流体を使用することも可能である。
【００６０】
以上、本発明の実施形態を詳細に説明したが、本発明の範囲を逸脱することなく他の方法でも具体化できることは当業者にとって明らかである。本詳細説明は本発明を制限する意図ではない。
【図面の簡単な説明】
【００６１】
【図１】本発明の実施例に基づくリソグラフィ投影装置を示したものである。
【図２】投影システムを示したものである。
【図２ａ】投影システムの詳細を示したものである。
【図３】制御ループを示したものである。
【図４】複数の代替的なミラーシールド構成を示したものである。
【図５】さらなるミラーシールド構成を示したものである。
【図１】
2004343116.tif 000003
【図２】
2004343116.tif 000004
【図２ａ】
2004343116.tif 000005
【図３】
2004343116.tif 000006
【図４】
2004343116.tif 000007
【図５】
2004343116.tif 000008
【手続補正書】
【提出日】平成16年7月13日(2004.7.13)
【手続補正１】
【補正対象書類名】特許請求の範囲
【補正対象項目名】全文
【補正方法】変更
【補正の内容】
【特許請求の範囲】
【請求項１】
−  放射線の投影ビームを供給する放射線システムと、
−  所望するパターンに従って投影ビームをパターン化するパターニング手段を支持する支持装置と、
−  基板を保持する基板テーブルと、
−  光学活性ミラー、少なくともミラーを支持する支持構造、および、支持構造および／またはミラーの表面への、あるいは支持構造および／またはミラーの表面からの熱放射を遮断するように配置された少なくとも１つの熱放射シールドとによって構成されている、パターン化されたビームを基板の目標部分に投影する投影システムと、
−  少なくとも１つの熱シールドへの、あるいは少なくとも１つの熱シールドからの熱伝達を行う、少なくとも１つの熱シールドと熱的接触を行った熱伝達回路と、
−  支持構造および少なくとも１つの放射熱シールドをそれぞれ支持フレームに支持するために、それぞれ別々の支持要素を有した支持フレームとから成るリソグラフィ投影装置において、ミラーの支持要素と、少なくとも１つの熱シールドは、支持フレームによる支持を除き、互いに機械的に連結を行っていないことを特徴とするリソグラフィ投影装置。
【請求項２】
少なくとも１つの熱シールドは、ミラーと反対方向を向いた支持構造の外表面に近接したアウターシールドから成ることを特徴とする請求項１に記載のリソグラフィ投影装置。
【請求項３】
アウターシールドは、上記の外表面と反対方向を向いた側よりも、支持構造の外表面に面した側でより高い熱放射の吸収係数を有することを特徴とする請求項２に記載のリソグラフィ投影装置。
【請求項４】
ミラーは軸沿いに互に対向する辺を有し、また、支持構造は該対向する側のどちらかでミラーに面していることを特徴とする請求項２または３に記載のリソグラフィ投影装置。
【請求項５】
ミラーは、投影ビームが反射される前面と、前面の反対側の背面を有し、ミラー背面に近接する少なくとも１つのミラーシールドから成る少なくとも１つの熱シールドは、投影ビームが投射する前面の少なくとも一部分を覆わないでおくことを特徴とする請求項１〜４のいずれか１項に記載のリソグラフィ投影装置。
【請求項６】
少なくとも１つのミラーシールドは、支持構造への取り付けポイント、センサおよび／あるいはアクチュエータの任意接合部分、および投影ビームが入射する前面の一部分を除いて、ミラーをほぼ取り囲んでいることを特徴とする請求項５に記載のリソグラフィ投影装置。
【請求項７】
少なくとも１つのミラーシールドは、ミラーの１つあるいは複数の面と反対を向く側よりも、該ミラーの１つあるいは複数の面を向く側でより高い熱放射の吸収係数を有することを特徴とする請求項５または６に記載のリソグラフィ投影装置。
【請求項８】
少なくとも１つの熱シールドは、ミラーに面した支持構造の内表面に近接したインナーシールドを有することを特徴とする前記請求項のいずれか１項に記載のリソグラフィ投影装置。
【請求項９】
インナーシールドは、上記の内表面と反対方向を向く側よりも、該内表面を向く側でより高い熱放射の吸収係数を有することを特徴とする請求項８に記載のリソグラフィ投影装置。
【請求項１０】
少なくとも１つの熱シールド支持構造および／もしくはミラーに連結した少なくとも１つの温度センサを有する熱伝達調整ループと、熱伝達回路に連結して、熱伝達回路により輸送された熱の量を調整する調整出力とから成り、それによって、少なくとも１つの熱シールドと、支持構造および／またはミラーにおいて設定温度を達成することを特徴とする前記請求項のいずれか１項に記載のリソグラフィ投影装置。
【請求項１１】
−  放射線感光材料の層により少なくとも部分的に覆われた基板を提供するステップと、
−  放射線システムを用いて放射線の投影ビームを供給するステップと、
−  パターニング手段を用いて投影ビームのその断面にパターンを与えるステップと、
−  光学活性ミラーにより、放射線感光材料の層の目標部分に放射線のパターン化されたビームを投影するステップと、
−  ミラーおよびその支持構造は全体として熱シールドとは別に支持されており、少なくとも１つの熱シールドにより、光学動作ミラーおよび／または光学動作ミラーの支持構造への、あるいは光学動作ミラーおよび／または光学動作ミラーの支持構造からの熱放射をシールドするステップと、
−  少なくとも１つの熱シールドに機械的に取り付けられたパイプを通して少なくとも１つの熱シールドに熱伝達流体を供給するステップとから成るデバイス製造方法。
【請求項１２】
上記の方法は、ミラーと反対方向を向く支持構造の外表面から放射される熱を、該外表面に近接し、かつ、少なくとも１つの熱シールドから成るアウターシールドにより吸収する段階を含むことを特徴とする請求項１１に記載のデバイス製造方法。
【請求項１３】
上記の方法は、ミラー前面は覆わずに、ミラーの背面に近接した、少なくとも１つの熱シールドから成る少なくとも１つのミラーシールドにより、投影ビームが反射される前面と反対方向を向く１つのあるいは複数のミラー背面から放射される熱を吸収する段階を含むことを特徴とする請求項１１または１２に記載のデバイス製造方法。
【請求項１４】
上記の方法は、ミラーと反対方向を向く支持構造の外表面に向かって放射される熱を、該外表面に近接し、かつ、少なくとも１つの熱シールドから成るアウターシールドにて吸収する段階を含むことを特徴とする請求項１１に記載のデバイス製造方法。
【請求項１５】
上記の方法は、少なくとも１つの熱シールドから成る、支持構造の内表面に近接したインナーシールドにより、ミラーに面した支持構造の内表面から放射される熱を吸収することから成ることを特徴とする請求項１１、１２、または１３に記載のデバイス製造方法。
【請求項１６】
−  放射線の投影ビームを供給する放射線システムと、
−  所望するパターンに従って投影ビームをパターン化するパターニング手段を支持する支持構造と、
−  基板を保持する基板テーブルと、
−  光学動作ミラー、少なくともミラーを支持する支持構造、および、支持構造および／またはミラーの外表面への、あるいは支持構造および／またはミラーの外表面からの熱放射を遮断するように配置された、ミラーと反対方向を向く支持構造の外表面に近接したアウターシールドとによって構成されている、パターン化されたビームを基板の目標部分に投影する投影システムとから成ることを特徴とするリソグラフィ投影装置。
【外国語明細書】
2004343116000001.pdf